(57)【要約】【課題】治具で回転軸を固定することで、回転軸の浮上りが防止できかつ、回転軸を回転させることができるために、少ない労力で、ランナ片持ち型送排風機を正確に測定する。【解決手段】ランナ片持ち型送排風機について、これを分解点検する際に回転軸５３の浮き上がりを防止する防止治具１であって、略長方形状の板部材から成る治具本体２と、治具本体２の一面側に取り付けたローラ軸受４と、ローラ軸受４に取り付けた、弾力性を有するローラ３と、治具本体２を固定するときに、治具本体２を掛け止める引張り具５と、から成り、治具本体２を回転軸５の上面に載せ、治具本体２に掛け止めた引張り具５の両端をランナ片持ち型送排風機の台座５７側に架け渡すことにより、治具本体２を固定し得るように構成した。【選択図】図１
2008175154.tif 000002
【特許請求の範囲】
【請求項１】
モータ（５１）の駆動軸（５２）と回転軸（５３）を連結する連結盤（５４）と、該回転軸（５３）を支持する軸受（５５）と、該回転軸（５３）で回転させるファン等のランナ（５６）とを備えたランナ片持ち型送排風機について、これを分解点検する際に前記回転軸（５３）の浮き上がりを防止する防止治具（１）であって、
略長方形状の板部材から成る治具本体（２）と、
該治具本体（２）の一面側に取り付けたローラ軸受（４）と、
該ローラ軸受（４）に取り付けた、弾力性を有するローラ（３）と、
前記治具本体（２）を固定するときに、該治具本体（２）を掛け止める引張り具（５）と、から成り、
前記治具本体（２）を前記回転軸（５３）の上面に載せ、該治具本体（２）に掛け止めた引張り具（５）の両端をランナ片持ち型送排風機の台座（５７）側に架け渡すことにより、該治具本体（２）を固定し得るように構成した、ことを特徴とするランナ片持ち型送排風機軸の点検時の浮き上がり防止治具。
【請求項２】
前記治具本体（２）に、２組のローラ軸受（４）とローラ（３）を取り付けた、ことを特徴とする請求項１のランナ片持ち型送排風機軸の点検時の浮き上がり防止治具。
【請求項３】
前記治具本体（２）のローラ軸受（４）を取り付けた反対の面に、前記引張り具（５）が外れにないようにする掛止縁（６）をその部材の長手方向に形成した、ことを特徴とする請求項１のランナ片持ち型送排風機軸の点検時の浮き上がり防止治具。
【請求項４】
前記引張り具（５）の両端を、前記ランナ片持ち型送排風機の台座（５７）ベース（５８）の縁（５８ａ）に掛け止めた、ことを特徴とする請求項１のランナ片持ち型送排風機軸の点検時の浮き上がり防止治具。
【請求項５】
前記引張り具（５）の中間に、その緊張力を高めるレバーブロック（９）を介在させた、ことを特徴とする請求項４のランナ片持ち型送排風機軸の点検時の浮き上がり防止治具。
【請求項６】
前記治具本体（２）の板部材の長手方向の両端に、別の治具本体（２）を着脱自在に連結し得る雌雄構造から成る連結構造（１１）を形成した、ことを特徴とする請求項１のランナ片持ち型送排風機軸の点検時の浮き上がり防止治具。
【発明の詳細な説明】
【技術分野】
【０００１】
本発明は、発変電所等のプラント等で用いられるランナ片持ち型送排風機を分解点検する際に、モータ側の回転軸が浮き上ることを防止するランナ片持ち型送排風機軸の点検時の浮き上がり防止治具に関するものである。
【背景技術】
【０００２】
送排風機に関する技術については、例えば特許文献１の特開平８−６８３９８号公報「送風機の送風量調節装置」に示すように、モータに駆動されて回転するランナと、同ランナの中央部に給気するためのインレットコーンを備えた送風機の前記ランナの外径より大きい内径を有するリング状ダンパーをランナーのベーンに接触することなく被せることができるように左右摺動自在に保持するガイド機構と同ダンパーを左右往復直線運動させる作動機構を設けた送風機の送風量調節装置において、リング状ダンパーを、同ダンパーを包囲する補強枠に一体固着すると共に、ガイド機構と作動機構の受部を補強枠に設けた送風機が提案されている。
【特許文献１】特開平８−６８３９８号公報
【０００３】
このような発変電所等で用いられるランナ片持ち型送排風機は、一定の期間毎に点検をしている。図６に示すように、ランナ片持ち型送排風機は、例えばモータ５１の駆動軸５２と回転軸５３を連結する連結盤５４と、この回転軸５３を支持する軸受５５と、この回転軸５３で回転させるファン等のランナ５６とを備えたものである。このような構成のランナ片持ち型送排風機について、これを分解点検する際には、２個の軸受５５の中でモータ５１側の軸受５５はその軸受カバー５５ａを開放して分解するとランナ５６の重みでモータ５１側の回転軸５３が浮上り、ランナ５６側の軸受５５に負荷を掛けていた。
【０００４】
また、軸受け倒れ調整等の測定時にも回転軸５３が浮上るのを人力で押え付けながら回転軸５３を回転させて測定していた。
【発明の開示】
【発明が解決しようとする課題】
【０００５】
しかし、上述したように、点検に際してランナ５６側の軸受５５に負荷を掛け、軸受５５に悪影響を与えるおそれがあった。軸受５５を人力で押え付けながら回転軸５３を回転させて測定するため、労力がいるという問題を有していた。そこで、このような作業による分解点検では、正確な測定をするためには長時間を要するという問題を有していた。
【０００６】
本発明は、かかる問題点を解決するために創案されたものである。すなわち、本発明の目的は、治具で回転軸を固定することで、回転軸の浮上りが防止できかつ、回転軸を回転させることができるために、少ない労力で、正確に測定することができるランナ片持ち型送排風機軸の点検時の浮き上がり防止治具を提供することにある。
【課題を解決するための手段】
【０００７】
本発明によれば、モータ（５１）の駆動軸（５２）と回転軸（５３）を連結する連結盤（５４）と、該回転軸（５３）を支持する軸受（５５）と、該回転軸（５３）で回転させるファン等のランナ（５６）とを備えたランナ片持ち型送排風機について、これを分解点検する際に前記回転軸（５３）の浮き上がりを防止する防止治具（１）であって、略長方形状の板部材から成る治具本体（２）と、該治具本体（２）の一面側に取り付けたローラ軸受（４）と、該ローラ軸受（４）に取り付けた、弾力性を有するローラ（３）と、前記治具本体（２）を固定するときに、該治具本体（２）を掛け止める引張り具（５）と、から成り、前記治具本体（２）を前記回転軸（５３）の上面に載せ、該治具本体（２）に掛け止めた引張り具（５）の両端をランナ片持ち型送排風機の台座（５７）側に架け渡すことにより、該治具本体（２）を固定し得るように構成した、ことを特徴とするランナ片持ち型送排風機軸の点検時の浮き上がり防止治具が提供される。
【０００８】
前記治具本体（２）に、２組のローラ軸受（４）とローラ（３）を取り付けることが好ましい。
前記治具本体（２）のローラ軸受（４）を取り付けた反対の面に、前記引張り具（５）が外れにないようにする掛止縁（６）をその部材の長手方向に形成することが好ましい。
例えば、前記引張り具（５）の両端を、前記ランナ片持ち型送排風機の台座（５７）ベース（５８）の縁（５８ａ）に掛け止めることができる。
前記引張り具（５）の中間に、その緊張力を高めるレバーブロック（９）を介在させることが好ましい。
前記治具本体（２）の板部材の長手方向の両端に、別の治具本体（２）を着脱自在に連結し得る雌雄構造から成る連結構造（１１）を形成することが好ましい。
【発明の効果】
【０００９】
上記構成では、ランナ片持ち型送排風機の分解点検に際して、回転軸（５３）の浮き上がりそうな位置に、本発明の浮き上がり防止治具（１）の治具本体（２）を載せ、これを引張り具（５）で強固に固定することにより、回転軸（５３）の浮上りが防止することができる。浮き上がり防止治具（１）にはローラ（３）を備えているので、回転軸（５３）を回転させることができ、少ない労力で、正確に測定できる。
【００１０】
治具本体（２）に形成した掛止縁（６）により、引張り具（５）が治具本体（２）から外れないので、安全な状態で浮き上がり防止治具（１）を回転軸（５３）に固定することができる。
引張り具（５）の両端を、台座（５７）ベース（５８）の縁（５８ａ）に掛け止め、その中間のレバーブロック（９）を操作することにより、引張り具（５）の緊張力を高め、治具本体（２）を回転軸（５３）により確実に固定することができる。
連結構造（１１）を形成した浮き上がり防止治具（１）では、細い回転軸（５３）に用いる浮き上がり防止治具（１）でもこれを２個連結することにより、太い回転軸（５３）に対しても、その浮き上がりを防止することができ、その汎用性が高い。
【発明を実施するための最良の形態】
【００１１】
本発明は、ファン等のランナの回転軸を支持する軸受と、回転軸とモータの駆動軸とを連結する連結盤とを備えたランナ片持ち型送排風機の分解点検する際に、回転軸の浮き上がりを防止する防止治具である。
【実施例１】
【００１２】
以下、本発明の好ましい実施の形態を図面を参照して説明する。
図１は実施例１のランナ片持ち型送排風機軸の点検時の浮き上がり防止治具を示す側面図である。図２は図１のＢ−Ｂ線拡大断面図である。
実施例１の浮き上がり防止治具１は、略長方形状の金属製の板部材から成る治具本体２と、この治具本体２の一面側（図１の図示例では下側）に、弾力性を有するローラ３を支持するローラ軸受４を取り付けたものである。治具本体２は、図示するように、例えば略長方形状の板部材を湾曲状に形成することが好ましい。このローラ軸受４は、治具本体２の長手方向とそのローラ３の回転方向が同じ方向になるように取り付ける。ローラ３は例えばウレタンゴムのような弾力性を有する樹脂素材が良い。この弾力性を有するローラ３は、ランナ片持ち型送排風機の回転軸５３を傷付けることがないからである。
【００１３】
治具本体２には、図示例のように、例えば２組のローラ軸受４とローラ３を取り付けることが好ましい。但し、必ずしも２組に限定されず、４組を取り付けることも可能である。ランナ片持ち型送排風機の回転軸５３の外径に応じて使い分けることができる。
【００１４】
治具本体２に取り付けたローラ軸受４の反対の面側（図２の図示例では上側）に、重荷物吊り上げベルトとして使用されるナイロンスリング、チェーン、ロープ状の部材のような引張り具５を掛け止める掛止縁６をその部材の長手方向に形成した。この掛止縁６は文字通り、浮き上がり防止治具１を、ランナ片持ち型送排風機の回転軸５３に固定している際に、治具本体２が引張り具５から外れることを防止するものである。なお、治具本体２が引張り具５から外れない構造であれば、この掛止縁６に代えて、治具本体２の上面、即ち引張り具５を掛け止める側に、多数の突起（図示していない）や、治具本体２の長手方向に複数の溝（図示していない）を形成したものでも良い。
【００１５】
図３は実施例１の浮き上がり防止治具をランナ片持ち型送排風機に装着した状態の正面図である。
上述した浮き上がり防止治具１は、ランナ片持ち型送排風機の点検に際して、回転軸５３の浮き上がりそうな位置に固定して使用する。例えば治具本体２をランナ片持ち型送排風機の回転軸５３のモータ５１側に固定して使用する。この治具本体２の掛止縁６に引張り具５を掛け止め、引張り具５の両先端をランナ片持ち型送排風機の台座５７側に架け渡す。この引張り具５は、その途中でテンションを高める部材を備える。
【００１６】
図３の図示例では、この引張り具５としてナイロンスリングを使用した状態を示している。ランナ片持ち型送排風機の台座５７のベース５８は、Ｈ型鋼のような縁５８ａがある鋼材が使用されている。そこで、ナイロンスリング５の両端にシャックル７を連結し、両端のシャックル７を、スクリューカムクランプ８でベース５８の各縁５８ａに強固に取り付ける。ナイロンスリング等の引張り具５のテンションは、その途中に取り付けたレバーブロック９で調整する。なお、この引張り具（ナイロンスリング）５の両端を、台座５７側へ固定する手段はこのスクリューカムクランプ８に限定されず、その他の構造のクランプ又は、その他の固定手段を用いることができる。
【００１７】
軸受５５の軸受カバー５５ａを外した状態でも回転軸５３の浮上りが防止することができる。また、浮き上がり防止治具１は、ローラ３を備えているので、回転軸５３を回転させることができ、少ない労力で、正確に測定できる。
【実施例２】
【００１８】
図４は実施例２のランナ片持ち型送排風機軸の点検時の浮き上がり防止治具を示す側面図である。図５は実施例２の浮き上がり防止治具を連結した状態を示す側面図である。
実施例２の浮き上がり防止治具１では、治具本体２の板部材の長手方向の両端に、別の治具本体２を着脱自在に連結し得る雌雄構造から成る連結構造１１を形成した。このように、連結構造１１を形成した浮き上がり防止治具１は、細い回転軸５３に用いる浮き上がり防止治具を２個連結することにより、太い回転軸５３に対しても、その浮き上がりを防止することができ、その汎用性が高い。この連結構造１１は着脱自在に浮き上がり防止治具１の端同士を連結することができるものであれば、図示例の構造に限定されない。
【００１９】
なお、本発明は、浮き上がり防止治具１でランナ片持ち型送排風機軸の回転軸５３を固定することで、回転軸５３の浮上りが防止できかつ、回転軸５３を回転させることができるために、少ない労力で、正確に測定することができれば、上述した発明の実施の形態に限定されず、本発明の要旨を逸脱しない範囲で種々変更できることは勿論である。
【産業上の利用可能性】
【００２０】
本発明の浮き上がり防止治具は、発変電所等のプラント等で用いられるランナ片持ち型送排風機を分解点検する際に利用することができる。
【図面の簡単な説明】
【００２１】
【図１】実施例１のランナ片持ち型送排風機軸の点検時の浮き上がり防止治具を示す側面図である。
【図２】図１のＢ−Ｂ線拡大断面図である。
【図３】実施例１の浮き上がり防止治具をランナ片持ち型送排風機に装着した状態の正面図である。
【図４】実施例２のランナ片持ち型送排風機軸の点検時の浮き上がり防止治具を示す側面図である。
【図５】実施例２の浮き上がり防止治具を連結した状態を示す側面図である。
【図６】ランナ片持ち型送排風機を示す正面図である。
【符号の説明】
【００２２】
１  浮き上がり防止治具
２  治具本体
３  ローラ
４  ローラ軸受
５  引張り具
６  掛止縁
９  レバーブロック
１１  連結構造
５１  モータ
５２  駆動軸
５３  回転軸
５４  連結盤
５５  軸受
５６  ランナ
５７  台座
５８  台座のベース
５８ａ  ベースの縁
【図１】
2008175154.tif 000003
【図２】
2008175154.tif 000004
【図３】
2008175154.tif 000005
【図４】
2008175154.tif 000006
【図５】
2008175154.tif 000007
【図６】
2008175154.tif 000008